(57)【要約】【課題】  遠隔操作式排水栓装置の操作部を、取付対象部に傷をつけることなく、確実に取り付けることを目的とする。【解決手段】  水槽に設けられた排水口を閉じる排水栓蓋を、操作ボタンの操作によってレリースワイヤを介して昇降させて前記排水口を開閉する遠隔操作式排水栓装置の操作部構造において、操作ボタンが取り付けられる取付対象部に形成された貫通孔に表面側から挿入され、内部に操作ボタンを進退可能な案内面を有し、周囲に雄ネジが設けられた円筒部と、円筒部の上部に外方に広がるように形成されて底面が取付対象部に当接するフランジと、を有する樹脂製のフランジ部材と、取付対象部の裏面側から円筒部の雄ネジに螺合される雌ネジが設けられて、フランジと共に取付対象部を挟持する締付ナットと、を備え、フランジ部材の円筒部の内周からフランジにかけての表面を金属製の被覆部材で、フランジの底面よりも高い位置までを被覆する。【選択図】  図４
2014009492.tif 000002
【特許請求の範囲】
【請求項１】
水槽に設けられた排水口を閉じる排水栓蓋を、操作ボタンの操作によってレリースワイヤを介して昇降させて前記排水口を開閉する遠隔操作式排水栓装置の操作部構造において、
前記操作ボタンが取り付けられる取付対象部に形成された貫通孔に表面側から挿入され、内部に前記操作ボタンを進退可能な案内面を有し、周囲に雄ネジが設けられた円筒部と、当該円筒部の上部に外方に広がるように形成されて底面が前記取付対象部に当接するフランジと、を有する樹脂製のフランジ部材と、
前記取付対象部の裏面側から前記円筒部の雄ネジに螺合される雌ネジが設けられて、前記フランジと共に前記取付対象部を挟持する締付ナットと、
を備え、
前記フランジ部材の前記円筒部の内周から前記フランジにかけての表面を金属製の被覆部材で、前記フランジの底面よりも高い位置までを被覆することを特徴とする遠隔操作式排水栓装置の操作部構造。
【請求項２】
前記フランジの外周下部に、前記被覆部材の厚みよりも大きい凹部を形成し、前記凹部に前記被覆部材の端部を収めたことを特徴とする請求項１記載の遠隔操作式排水栓装置の操作部構造。
【発明の詳細な説明】
【技術分野】
【０００１】
本発明は、浴槽や洗面ボウルなどの水槽の排水口を開閉するのに使用される遠隔操作式の排水栓装置に関する。
【背景技術】
【０００２】
従来、遠隔操作式の排水栓装置では、その操作部を浴槽のリム面などの取付対象部に取り付ける際に、操作部の上下動をガイドする貫通孔を有するフランジ部材とフランジ部材の外周に螺合するナットとで浴槽を挟持するように固定していた。そして、このフランジ部材からの貫通孔に水が浸入するのを防止するために、フランジ部材のフランジと浴槽との間に平パッキンを設けていた。しかし、平パッキンがフランジの回りに露出するので、見栄えが悪いという問題があった。
【先行技術文献】
【特許文献】
【０００３】
【特許文献１】特開２００８−２４８６８７号公報
【発明の概要】
【発明が解決しようとする課題】
【０００４】
そこで、この平パッキンを浴槽とナットの間で挟みこんで潰す構造が考えられる。しかし、この構造では締め付け時のすべり性を確保するため、ナットと平パッキンの間にすべりワッシャを配置する必要があり、コストがかかっていた。また、フランジを回して締付ける構造とした場合、フランジ部材のフランジの底面が浴槽のリム面に接触してすべりつつ締付けられることになる。このとき、フランジ部材の表面を装飾するためにステンレス等の金属部材をカシメて被膜している場合、金属部材の端面が浴槽のリム面に当たった状態でフランジを回すと、浴槽のリム面に傷が付く可能性がある。また、浴槽のリム面に金属部材の端面が当たると、その当たり方によって締め付けトルクにばらつきが出て、平パッキンを所望のトルクで締め付けられない可能性もある。
【０００５】
そこで、本発明は、遠隔操作式排水栓装置の操作部を、取付対象部に傷をつけることなく、確実に取り付けることを目的とする。
【課題を解決するための手段】
【０００６】
上記の課題を解決するために成された、請求項１の発明は、水槽に設けられた排水口を閉じる排水栓蓋を、操作ボタンの操作によってレリースワイヤを介して昇降させて前記排水口を開閉する遠隔操作式排水栓装置の操作部構造において、前記操作ボタンが取り付けられる取付対象部に形成された貫通孔に表面側から挿入され、内部に前記操作ボタンを進退可能な案内面を有し、周囲に雄ネジが設けられた円筒部と、当該円筒部の上部に外方に広がるように形成されて底面が前記取付対象部に当接するフランジと、を有する樹脂製のフランジ部材と、前記取付対象部の裏面側から前記円筒部の雄ネジに螺合される雌ネジが設けられて、前記フランジと共に前記取付対象部を挟持する締付ナットと、を備え、前記フランジ部材の前記円筒部の内周から前記フランジにかけての表面を金属製の被覆部材で、前記フランジの底面よりも高い位置までを被覆することを特徴とする遠隔操作式排水栓装置の操作部構造である。
【０００７】
これによれば、遠隔操作式排水栓装置の操作部のフランジが金属製の被覆部材で被覆されるので、フランジを塗装したり、金属メッキした場合よりも、高級感のある外観にすることができ、意匠性が向上する。
また、フランジの外周側における被覆部材の端部が、フランジの底面に達しないように、フランジの底面よりも高い位置までを被覆するので、金属製の被覆部材が取付対象部に接触しない。よって、締付ナットにフランジ部材を締め付ける際に、フランジ部材を回しても被覆部材の端部で取付対象部を傷つけることがない。
【０００８】
また、請求項２の発明は、前記フランジの外周下部に、前記被覆部材の厚みよりも大きい凹部を形成し、前記凹部に前記被覆部材の端部を収めたことを特徴とする請求項１記載の遠隔操作式排水栓装置の操作部構造である。
【０００９】
これによれば、フランジの外周側における被覆部材の端部が、フランジの外周株の凹部に収められるので、被覆部材の端部を確実に取付対象部から離間させることが可能となる。
【発明の効果】
【００１０】
本発明によれば、遠隔操作式排水栓装置の操作部を、取付対象部に傷をつけることなく、確実に取り付けることが可能となる。
【図面の簡単な説明】
【００１１】
【図１】本発明の実施形態にかかる排水栓装置を示す概略図である。
【図２】図１の排水栓装置の操作部を示す側面図である。
【図３】図２に示す操作部の中央縦断面図である。
【図４】図２に示す操作部の部分拡大断面図である。
【図５】図２に示す操作部の分解図である。
【図６】図２に示す操作部を浴槽のリム部に取り付ける状態を示す側面図である。
【図７】図６に示す操作部の中央縦断面図である。
【図８】フランジ部材を浴槽のリム部に取り付ける締付ナットを示す側面図である。
【図９】締付ナットの変形例を示す側面図である。
【発明を実施するための形態】
【００１２】
以下、図面を参照して、本発明の実施の形態を説明する。
図１は本発明の実施形態にかかる排水栓装置を示す概略図である。
排水栓装置１００は、浴槽２００（水槽）に設けられた排水口２１０に取り付けられる排水栓部１００Ａと、浴槽２００のリム面２２０に形成された貫通孔２２１（図３参照）に取り付けられる操作部１００Ｂと、を備え、排水栓部１００Ａと操作部１００Ｂとをレリースワイヤ１６０で接続した遠隔操作式の排水栓装置である。レリースワイヤ１６０は、操作部１００Ｂと排水栓部１００Ａとを接続するように設けられたホース１７０の内部に配設され、アウターチューブの内部でインナーワイヤが進退するように構成されている。
【００１３】
排水栓部１００Ａは、浴槽２００の排水口２１０の下部に取り付けられた支持金具１８０にレリースワイヤ１６０の一端に設けられた作動部１６５を保持させ、その作動部１６５に排水口２１０を閉じる排水栓蓋１９０を取り付けている。後述する操作ボタン１５０の操作によってレリースワイヤ１６０を介して作動部１６５が排水栓蓋１９０を昇降させることにより、排水口２１０を開閉する。なお、図示しないが、支持金具１８０には、前述したホース１７０の一端が取り付けられている。
【００１４】
次に、操作部１００Ｂについて説明する。
図２は排水栓装置の操作部を示す側面図、図３は操作部の中央縦断面図、図４は操作部の部分拡大断面図、図５は操作部の分解図である。
操作部１００Ｂは、外周面に雄ネジ１１３が形成された円筒部１１１の上端部に外向きのフランジ１１２を設けたフランジ部材１１０と、フランジ部材１１０の雄ネジ１１３に螺合する雌ネジ１２１を有する締付ナット１２０と、レリースワイヤ１６０の他端に設けられた機構部１６２を保持してフランジ部材１１０の円筒部１１１の下端に下方から接続される接続管１３０と、接続管１３０を締付ナット１２０に取り付ける接続管用接続具１４０と、フランジ部材１１０の円筒部１１１の内部に進退可能に配設された操作ボタン１５０と、を備えている。これらのフランジ部材１１０、締付ナット１２０、接続管１３０、接続管用接続具１４０、操作ボタン１５０は、いずれも樹脂製部材である。なお、フランジ部材１１０と操作ボタン１５０は、高級感を出すために、それぞれ樹脂製部材の表面に薄肉の金属製部材を被覆して化粧している。
【００１５】
フランジ部材１１０は、前述したように、外周面に雄ネジ１１３が形成された円筒部１１１の上端部に外向きに広がるように形成されたフランジ１１２を備えている。フランジ１１２の底面は、浴槽２００のリム面２２０に当接している。このフランジ部材１１０の円筒部１１１の内周側上部からフランジ１１２にかけての表面を、金属製の被覆部材１１５で被覆している。この被覆部材１１５は、例えば光沢を帯びたステンレスなどの金属を薄板状に加工したものであり、フランジ部材１１０に対してカシメることによって一体化されている。被覆部材１１５の外周側の端部は、フランジ１１２の底面よりもやや高い位置までを被覆している。すなわち、被覆部材１１５の端部は、浴槽２００のリム面２２０には当接していない。より具体的には、フランジ１１２の外周下部には、被覆部材１１５の端部が収まる凹部１１６が形成されている。凹部１１６におけるフランジ１１２の下面と浴槽２００のリム面２２０との寸法の最小値は、被覆部材１１５の厚みよりも大きくとられている。これにより、フランジ１１２にカシメられた被覆部材１１５は、浴槽２００のリム面２２０に当接することがない。
【００１６】
このフランジ部材１１０は浴槽２００のリム面２２０の表面側から貫通孔２２１に挿通される。締付ナット１２０は、浴槽２００のリム面２２０の裏面側から、雌ネジ１２１をフランジ部材１１０の雄ネジ１１３に螺合させる。雌ネジ１２１を雄ネジ１１３に締め付けて、フランジ部材１１０のフランジ１１２と締付ナット１２０とで浴槽２００のリム面２２０を挟持する。そして、フランジ部材１１０の円筒部１１１の内周が、操作ボタン１５０を進退可能に支える案内面１１４となる。これにより、フランジ部材１１０と締付ナット１２０とが、浴槽２００のリム面２２０に設けた貫通孔２２１に対して操作ボタン１５０の進退をガイドする操作部ガイド部Ａとなる。
【００１７】
ここで、フランジ部材１１０と締付ナット１２０との螺合は、締付ナット１２０を工具あるいは手で押さえて仮固定した状態で、フランジ部材１１０を別の工具で回すことによって行われる。そのため、フランジ部材１１０は、浴槽２００のリム面２２０の上で旋回することになる。ところが、フランジ部材１１０のフランジ１１２は、被覆部材１１５がフランジ１１２の底面よりもやや高い位置までを被覆しているので、フランジ１１２の底面まで被覆部材１１５が達していない。そのため、リム面２２０の上でフランジ部材１１０を回しても、被覆部材１１５はリム面２２０に接触しないから、被覆部材１１５の端部でリム面２２０を大きく傷つけることはない。
【００１８】
締付ナット１２０は、その外周面の下方に、後述するガイド溝１２２を複数設けている。また、締付ナット１２０の下部に、接続管１３０の上端部が挿入可能な凹部１２３を形成している。
【００１９】
接続管１３０は、下端部にレリースワイヤ１６０の周囲を囲うホース１７０が接続され、上端部を操作部ガイド部Ａに接続している。また、接続管１３０の内部に、機構部１６２を保持する保持部１３１を形成している。また、接続管１３０は、上端部を外向きに突出させた突出部１３２とし、その外周側面に、Ｏリング１３３を嵌める溝１３４を設けている。このＯリング１３３は、接続管１３０が操作部ガイド部Ａに接続されると、接続管１３０の上端部が締付ナット１２０の凹部１２３に挿入されて、締付ナット１２０の凹部１２３の内周面に密接してシールする。
【００２０】
接続管接続具１４０は、接続管１３０の上部寄りの端部に回転可能に設けられている。具体的には、接続管１３０の上部の周囲に形成した浅溝部１３５に、接続管接続具１４０を部分的に係合させて、接続管接続具１４０を浅溝部１３５に沿って回転可能にしている。また、接続管接続具１４０を浅溝部１３５に係合させた状態で、接続管接続具１４０の水平上面が接続管１３０の突出部１３２の下面に接する。そして、接続管接続具１４０の内周部の上方に、後述する突起１４１を複数設けている。
【００２１】
接続管１３０を操作部ガイド部Ａに接続する際には、接続管１３０の上端を操作部ガイド部Ａに近づけた状態で操作部接続具１４０を回して、突起１４１を前述した締付ナット１２０のガイド溝１２２に挿入し、さらに操作部接続具１４０を回し続けて突起１４１をガイド溝１２２のロック位置１２２ｃまで到達させて、接続管１３０の接続は完了となる。
【００２２】
操作ボタン１５０は、機構部１６２の内部から操作ボタン側に突き出たロッド１６３の先端に装着される。操作ボタン１５０を押すたびに、操作ボタン１５０を押す力がロッド１６３から機構部１６２に伝わり、レリースワイヤ１６０を介して排水栓蓋１９０を昇降する。
【００２３】
機構部１６２は、操作ボタン１５０を押すたびにロッド１６３が機構部１６２内に押込まれて、機構部１６２内でレリースワイヤ１６０のインナーワイヤを押し込んで、操作ボタン１５０の進退動作をレリースワイヤ１６０に伝えるように機能する。また、使用者が操作ボタン１５０から手を離すと、押込まれたロッド１６３を上昇させる復帰バネ（図示せず）を内蔵して、操作ボタン１５０を上昇させるように機能する。さらに、本実施形態では、機構部１６２の内部にラッチ機構（図示せず）を内蔵させ、押しボタン１５０を押すたびに、高い位置と低い位置とに交互に押しボタン１５０が位置するようにして、排水栓蓋１９０が排水口２１０を閉じる位置と排水口２１０を開く位置とに保持するようにしている。
【００２４】
次に、操作部ガイド部Ａに接続管１４０を接続する構造について説明する。
図６は操作部を浴槽のリム部に取り付ける状態を示す側面図、図７は図６と同じ状態における操作部を示す中央縦断面図、図８はフランジ部材を浴槽のリム部に取り付ける締付ナットを示す側面図である。
【００２５】
前述したように、接続管用接続具１４０は、その内周部の上方に突起１４１を設けている。本実施形態では、９０度間隔で４個の突起１４１を設けている。
【００２６】
また、操作部ガイド部Ａの一部を構成する締付ナット１２０は、その外周部に突起１４１を差し込み可能なガイド溝１２２を、突起１４１と同じく４個設けている。このガイド溝１２２は、締付ナット１２０の外周面を内方に凹ませて形成している。このガイド溝１２０の凹みは、突起１４１がガイド溝１２０から外れて空回りしないように適度な深さになっている。また、ガイド溝１２２の手前を締付ナット１２０の下面に開放して、その解放端から突起１４１を挿入するようにされている。
【００２７】
ガイド溝１２２の奥には、差し込まれた突起１４１を動かぬように拘束するロック部が設けられている。本実施形態においては、このロック部は、ガイド溝１２２の底面１２２ｅを部分的に浅くする段部１２２ａで構成している。接続管接続具１４０をロックする際には、接続管接続具１４０を回して突起１４１の頂点が段部１２２ａを乗り越えるように力をかけて接続管接続具１４０を回転させることによって、突起１４１をロック位置１２２ｃに到達させる。
また、ガイド溝１２２の解放端から段部１２２ａの間に、ガイド溝１２２に受け入れた突起１４１を斜め上向きに案内する傾斜ガイド部１２２ｂを設けている。
さらに、ガイド溝１２２には、脱落防止部１２４を設けている。本実施形態では、この脱落防止部１２４は、段部１２２ａより奥側、すなわちガイド溝１２２のロック位置１２２ｃの下部に、外側に突出させた突出壁を設けることにより、突起１４１がガイド溝１２２から外れないように構成している。これにより、接続管１３０が左右に傾くような方向に力が加わった場合でも、この突出壁が、突起１４１のガイド溝１２２へのかかり代を大きくするように働くので、接続管１３０が操作部ガイド部Ａから外れるのを防止することができる。
【００２８】
接続管１３０を操作部ガイド部Ａに接続する際には、まず、接続管１３０の上端を操作部ガイド部Ａに近づけた状態で操作部接続具１４０を回して、突起１４１を前述した締付ナット１２０のガイド溝１２２に挿入する。次いで、操作部接続具１４０を回し続けて、突起１４１をガイド溝１２２の傾斜ガイド部１２２ｂ内を移動させることによって接続管接続具１４０を上方に移動させて接続管１３０の上端部を締付ナット１２０の下面に設けた凹部１２３に徐々に挿入させる。この際、接続管１３０に取り付けたＯリング１３３も接続管接続具１４０を回すことによって軽い力で凹部１２３に挿入される。そして、さらに操作部接続具１４０を回して、突起１４１をガイド溝１２２のロック位置１２２ｃまで到達させて、接続管１３０の接続は完了となる。
【００２９】
このように、本実施形態では、接続管１３０に回転可能に付設されている接続管接続具１４０を少し回すだけで、操作部ガイド部Ａに接続管１３０を接続することができる。そのため、従来のように、着脱可能なロック部材の装着ミスによって接続管が接続不良となることはない。また、接続管接続具１４０は、締め込む量が大きい袋ナットではないから、接続管接続具１４０を少し回すだけで接続できるので、接続作業も簡単であり、接続管接続具１４０の作業ミスも起こりにくい。すなわち、簡単な作業で操作部ガイド部Ａに接続管１３０を確実に取り付けることができるので、接続管１３０の取付け不良による不具合を無くすことができる。
【００３０】
また、ガイド溝１２２の奥に、突起１４１をロック位置１２２ｃに拘束する位置決め用の段部１２２ａを形成したことにより、接続管接続具１４０が自然に抜けるのを防止できる。
【００３１】
さらに、突起１４１がロック位置１２２ｃに到達して接続管１３０が操作部ガイド部Ａに接続された状態で、例えば、ホース１７０が斜めに引っ張られるなどして接続管１３０を左右に傾ける方向の力が働いたとしても、ガイド溝１２２から突起１４１が外れるのを脱落防止部１２４が防止するので、接続管１３０をより強固に接続することができる。
【００３２】
また、締付ナット１２０にガイド溝１２２を設けたことにより、操作部ガイド部Ａを予め浴槽２００のリム面２２０に取り付けた際に占める領域を小さく抑えることができる。そのため、浴槽２００のリム面２２０の下方の作業空間を大きく確保することができ、例えば、浴槽２００の裏側に被るような壁パネルの施工の作業性を高めることができる。
【００３３】
さらに、ガイド溝１２２は、接続管１３０が操作部ガイド部Ａに徐々に挿入させる傾斜ガイド部１２２ｂを有し、突起１４１を傾斜ガイド部１２２ｂで案内しつつ接続管１３０を操作部ガイド部Ａに徐々に挿入することによって、接続管１３０に設けたＯリング１３３を、操作部ガイド部Ａと接続管１３０との間に配設させるようにした。これにより、接続管用接続具１４０を回転させて接続管接続具１４０を徐々に操作部ガイド部Ａ内に挿入させる動きを利用して、操作部ガイド部Ａと接続管１３０の間にＯリング１３３を配設するので、Ｏリング１３３を操作部ガイド部Ａと接続管１３０の間に楽に押し込むことが可能となる。
【００３４】
次に、前述した実施形態の変形例について説明する。
図９は締付ナットの変形例を示す側面図である。
この変形例では、図８の実施形態から、ガイド溝１２２の傾斜ガイド部１２２ｂをなくして、代わりに垂直ガイド部１２２ｄを設けている。
この例では、接続管１３０の接続の際には、接続管接続具１４０を回して接続管接続具１４０の突起１４１の位置をガイド溝１２２に一致させて、接続管接続具１４０を垂直ガイド部１２２ｄに沿って上向きに押し込み、その後接続管接続具１４０を再度回して突起１４１をロック位置１２２ｃに到達させる。
これによれば、接続管１３０を徐々に締付ナット１２０の凹部１２３に挿入されることはないが、前述した実施形態とほぼ同じ作用効果を奏する。
【００３５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。
【００３６】
本実施形態では、排水栓装置１００を浴槽２００に取り付ける例を説明したが、洗面ボウルに取り付ける際にも本発明を適用可能である。また、操作ボタン１５０の取付対象部として、やはり浴槽２００を例示して説明したが、浴槽２００に隣接するカウンターの上面を操作ボタン１５０の取付対象部としてもよい。また、操作ボタン１５０を取り付ける取付対象部は、水平面に限らず、垂直面あるいは傾斜面であってもよい。また、本実施形態では、操作部ガイド部Ａ側にガイド溝１２２を設け、接続管接続具１４０に突起１４１を設けた例としたが、これに代えて、操作部ガイド部Ａに突起１４１を、接続管接続具１４０にガイド溝１２２を設けてもよい。さらに、接続管接続具１４０を、操作部ガイド部Ａの締付ナット１２０に接続するのに代えて、操作部ガイド部Ａのフランジ部材１１０の円筒部１１１に接続するようにすることも可能である。また、ラッチ機構を機構部１６２に内蔵させるのに代えて、作動部１６５に内蔵させてもよい。
【符号の説明】
【００３７】
１００…遠隔操作式排水栓装置
１１０…フランジ部材
１１１…円筒部
１１２…フランジ
１１３…雄ネジ
１１４…案内面
１１５…被覆部材
１１６…凹部
１２０…締付ナット
１２１…雌ネジ
１５０…操作ボタン
１６０…レリースワイヤ
１６２…機構部
１９０…排水栓蓋
２００…浴槽（水槽）
２１０…排水口
２２０…リム面（取付対象部）
２２１…貫通孔
【図１】
2014009492.tif 000003
【図２】
2014009492.tif 000004
【図３】
2014009492.tif 000005
【図４】
2014009492.tif 000006
【図５】
2014009492.tif 000007
【図６】
2014009492.tif 000008
【図７】
2014009492.tif 000009
【図８】
2014009492.tif 000010
【図９】
2014009492.tif 000011